(57)【特許請求の範囲】
【請求項１】
モーアデッキ（１）の上面に、正回転の正転ブレード軸（２，３）を軸受した軸受メタル（４，５）の取付部と、逆回転の逆転ブレード軸（６）を軸受したギヤケース（７）の取付部とを設けるブレードモーアの伝動装置において、前記モーアデッキ（１）の上面を下側に窪ませて軸受凹部（８，９，１０）を形成し、該軸受凹部（８，９，１０）の底部に軸受メタル（４，５）及び前記ギヤケース（７）を固定し、前記ギヤケース（７）には、各正転ブレード軸（２，３）上端のプーリ（１１，１２）との間にベルト（１３）を掛け渡して連動されるカウンタプーリ（１４）を有したカウンタ軸（１５）の下端部を軸装して、該逆転ブレード軸（６）との間をギヤ連動するギヤ（１６，１７）を設けてなるブレードモーアの伝動装置。」
【請求項２】
正転ブレード軸（２，３）を上下一対のベアリング（４２，４３）で支持する軸受メタル（４，５）のメタルボス部（５Ａ）を、該軸受凹部（８，９）の底部から下方に突出させると共に、該メタルボス部（５Ａ）に前記ベアリングのうち下部ベアリング（４３）を位置させて設け、上・下部ケース（４６，４５）によって形成される前記ギヤケース（７）のうち下部ケース（４５）を軸受凹部（１０）に対する取付面よりも下方に突出させると共に、下部ケース（４５）内にカウンタ軸（１５）と逆転ブレード軸（６）との間を連動するギヤ（１６，１７）と、前記カウンタ軸（１５）及び逆転ブレード軸（６）を支持する上下一対のベアリング（４７，４８）（４２，４３）のうち下部ベアリング（４８，４３）とを設け、且つ該下部ベアリング（４８，４３）をギヤケース（７）の前記取付面よりも下位に位置させて設けてなる請求項１に記載のブレードモーアの伝動装置。
【発明の詳細な説明】
【０００１】
【発明の属する技術分野】
この発明は、ブレードモーアの伝動装置に関する。乗用トラクタの腹部に装着するミッドモーアや、前部に装着するフロントモーア等として利用し、芝草を刈取ることができる。
【０００２】
【発明が解決しようとする課題】
トラクタ車体に装着されて昇降されるモーアは、高さが嵩ばると昇降高さが制限される。又、小形のトラクタ用として装着する場合はモーアの軽量化が望まれる。特に、一部のブレード軸を逆回転させる形態では、この逆回転伝動のための機構を設けるために部分的に嵩ばり易い。
【０００３】
【課題を解決するための手段】
このためこの発明は、次の技術的手段を講じた。
即ち、請求項１に記載の発明は、モーアデッキ（１）の上面に、正回転の正転ブレード軸（２，３）を軸受した軸受メタル（４，５）の取付部と、逆回転の逆転ブレード軸（６）を軸受したギヤケース（７）の取付部とを設けるブレードモーアの伝動装置において、前記モーアデッキ（１）の上面を下側に窪ませて軸受凹部（８，９，１０）を形成し、該軸受凹部（８，９，１０）の底部に軸受メタル（４，５）及び前記ギヤケース（７）を固定し、前記ギヤケース（７）には、各正転ブレード軸（２，３）上端のプーリ（１１，１２）との間にベルト（１３）を掛け渡して連動されるカウンタプーリ（１４）を有したカウンタ軸（１５）の下端部を軸装して、該逆転ブレード軸（６）との間をギヤ連動するギヤ（１６，１７）を設けてなるブレードモーアの伝動装置の構成とする。
また、請求項２に記載の発明は、正転ブレード軸（２，３）を上下一対のベアリング（４２，４３）で支持する軸受メタル（４，５）のメタルボス部（５Ａ）を、該軸受凹部（８，９）の底部から下方に突出させると共に、該メタルボス部（５Ａ）に前記ベアリングのうち下部ベアリング（４３）を位置させて設け、上・下部ケース（４６，４５）によって形成される前記ギヤケース（７）のうち下部ケース（４５）を軸受凹部（１０）に対する取付面よりも下方に突出させると共に、下部ケース（４５）内にカウンタ軸（１５）と逆転ブレード軸（６）との間を連動するギヤ（１６，１７）と、前記カウンタ軸（１５）及び逆転ブレード軸（６）を支持する上下一対のベアリング（４７，４８）（４２，４３）のうち下部ベアリング（４８，４３）とを設け、且つ該下部ベアリング（４８，４３）をギヤケース（７）の前記取付面よりも下位に位置させて設けてなる請求項１に記載のブレードモーアの伝動装置の構成とする。
【０００４】
【発明の効果】
請求項１に記載の発明は、中央部の正転ブレード２が回転されると、ベルト１３を介して一側部の正転ブレード軸３や、他側部の逆転ブレード軸６が回転される。これら正転ブレード軸２，３の回転に対して逆転ブレード軸６の逆回転によって、モーアデッキ１下内で刈取られる芝草は、このモーアデッキ１の後側中央部の排出口に向けて排出される。
【０００５】
このようなモーアデッキ１上面において、各正転ブレード軸２，３の軸受メタル４，５、及び逆転ブレード軸６のギヤケース７は、下側に窪ませた軸受凹部８，９，１０に位置させて取付けるため、各ブレード軸２，３，６の軸受部を下げて支持バランスを良くすることができ、これら各正転ブレード軸２，３やカウンタ軸１５等の上側に設けるプーリ１１，１２，１４やベルト１３を、モーアデッキ１の上側面に接近させて、モーアデッキ１全体の高さを低くして、コンパクトな構成とすることができる。
又、各正転ブレード軸２，３上のプーリ１１，１２やカウンタ軸１５上のプーリ１４の間に亘って掛け渡されるベルト１３は、モーアデッキ１の上側面上に位置されて、最上位にあるため、交換等も行い易い構成とすることができる。
【０００６】
請求項２に記載の発明によると、逆転ブレード軸６の回転が、カウンタプーリ１４を有したカウンタ軸１５から、ギヤケース７内のギヤ１６，１７を介して逆回転されるにも拘らず、このギヤケース７が軸受凹部１０部に深く沈めて設けられるため、このカウンタプーリ１４の位置を、他の正転ブレード軸２，３上のプーリ１１，１２と同位にして設定でき、モーアデッキ１面上方への突出高さを低くできる。
【０００７】
【０００８】
【発明の実施の形態】
乗用ガーデントラクタ車体１８の前車輪１９と後車輪２０との間の腹部に、フロントリンク２１とリヤリンク２２とを介して、モーアデッキ１が昇降自在に吊下装着され、リフトアーム２３の上下回動でリフトロッド２４を介して昇降される。
【０００９】
車体１８は、前部のボンネット２５下にエンジンを搭載し、ステアリングハンドル２６の操作で前車輪１９を操向でき、後部のミッションケース２７上方に操縦席２８を設ける。車体１８の後側には、前記モーアデッキ１の後側中央部の排出口２９から後方へ排出される刈取芝草を吸入して後方へ搬送するシュータ３０、及び吸引ブロワー３１を設けると共に、この吸引ブロワー３１から噴き出される芝草を収容するコレクター３２を設ける。３３は収容芝草を排出する開閉蓋である。
【００１０】
前記モーアデッキは、リフトアーム２３の上下回動で左右一対のフロントリンク２１及びリヤリンク２２を介して平行状に昇降される。このモーアデッキ１の前端中央部には接地輪３４を有し、左右両側部にはホイルフレーム３５を介して前後にゲージホイル３６が設けられて、刈取地面上一定の刈取高さに支持される。
【００１１】
このようなモーアデッキ１の下内には中央前部と左右両側後部とに正転ブレード軸２，３，逆転ブレード軸６を配置して、各ブレード軸２，３，６の下端部にブレード３７を取付ける。又、モーアデッキ１の上側には入力ギヤケース３８を設けて、この入力軸３９と、車体１８前部のフロントＰＴＯ軸４０との間を連動軸４１で連結して、この入力軸３９を伝動回転することによって、各ブレード軸２，３，６を連動回転できる。
【００１２】
前記モーアデッキ１の各正転ブレード軸２，３、及び逆転ブレード軸６の軸受部は、上面を下側へ適宜深さに窪ませた軸受凹部８，９，１０を形成する。このうち中央部に位置する軸受凹部８は、ほぼ円形皿状に形成されるが、左右両側部の軸受凹部９，１０は、左右横方向に長い小判形皿状に形成される。前記軸受凹部８，９には、正転ブレード軸２，３を上下一対のベアリング４２，４３で軸受けする軸受けメタル４，５に嵌合させて、この軸受凹部８，９の底部にボルト４４で締付固定することでこれら軸受メタル４，５の取付部を構成する。これら軸受メタル４，５の軸受凹部８，９に対する取付面より下方に突出のメタルボス部５Ａを、この軸受凹部８，９の底部から下方に突出させる。下部のベアリング４３は、この下方に突出のメタルボス部５Ａに位置させている。
【００１３】
又、軸受凹部１０には、カウンタ軸１５と逆転ブレード軸６とを軸受けするギヤケース７に嵌合させて、ボルト４４で締付固定することでギヤケース７の取付部を構成する。このギヤケース７のメタルボス部５Ａを有した下部ケース４５は取付面より下側部を軸受凹部１０の底面から下方に突出させている。又、この下部ケース４５の上側を覆う上部ケース４６は上面をモーアデッキ１の上面近くに位置させている。
【００１４】
このギヤケース７のカウンタ軸１５をモーアデッキ１の中央側に位置し、逆転ブレード軸６を外側に位置して軸装する。カウンタ軸１５は、上下一対のベアリング４７，４８で軸受けされ、逆転ブレード軸６はベアリング４２，４３で軸受けされる。これら下側のベアリング４８，４３は、ギヤケース７の取付面よりも下位に位置させている。
【００１５】
各ブレード軸２，３，６の下端部には、取付メタル４９を螺合し、ブレード３７の軸穴を嵌合して、ナット５０又はボルトで締付固定することにより、ブレード３７を回転できるように取付ける。前記ギヤケース７内では、カウンタ軸１５下部のギヤ１６と逆転ブレード軸６上部のギヤ１７とが噛合連動される。
【００１６】
前記正転ブレード軸２，３とカウンタ軸１５の上端にプーリ１１，１２，１４を取付けて、ベルト１３を掛け渡す。５１はテンションプーリで、入力ギヤケース３８の後側に配置される。これらのプーリ１１，１２，１４、及びベルト１３の上側を覆うベルトカバー５２が、ボルト５３によってモーアデッキ１の上面に着脱可能にして取付けられる。
【００１７】
前記入力ギヤケース３８は、中央部の正転ブレード軸２の上側に位置して、モーアデッキ１の上面に固定のブラケット５４に支持固定される。この正転ブレード軸２の上部軸５７はこの入力ギヤケース３８内を通して軸受け差されて、入力軸３９との間をベベルギヤ５５，５６を介して噛合連動される。前記プーリ１１はこの入力ギヤケース３８の下側に位置する。
【００１８】
なお、この入力ギヤケース３８の上部軸５７は、下部の正転ブレード軸２とは分離できる構成とし、カップリング形態で接続する構成とするもよい。モーアデッキ１の排出口２９は、後側中央部に設けられて、各ブレード３７で刈取られる芝草がこの排出口２９から直後側へ放出される。排出口２９は、中央部から左右両側部のブレード３７の回転軌跡部の後部に亘るように開口されて、モーアデッキ１の後端中央部を前側に切欠いだ形態の切欠部６０に形成される。
【００１９】
この排出口２９の中央部の正転ブレード軸２の後側で正転ブレード軸３寄り側にデルタ状の排出ガイド板５８が形成されて、排出口２９はこの排出ガイド板５８によって左右の幅Ｃ，Ｄに仕切られる。前記排出ガイド板５８は、正転ブレード軸２と３とのブレード３７間に位置されて、正転ブレード軸２側のガイド板７３は、ブレード３７の回転方向に沿うように形成されて、芝草を案内して狭幅Ｃ側の排出口２９へ飛散しないように構成している。
【００２０】
又、正転ブレード軸３側のガイド板７４は排出方向に向けて直面状に形成されて、狭幅Ｃの排出口２９の芝草排出を案内する。又、逆転ブレード軸６側の広幅Ｄ側のガイド板７５が直面状に形成されて、この広幅Ｄ側の排出口２９から、正転ブレード軸２と逆転ブレード軸６との両ブレード３７の回転による刈取芝草を排出させる。
【００２１】
これら排出口２９の排出ガイド板５８によって左右に仕切られる幅Ｃ，Ｄの割合は、ほぼＣ＝１，Ｄ＝２の割合に設定している。又、モーアデッキ１の内周壁部にはブレード３７の回転外周に沿う円形状のガイド板５９が三葉形態に設けられる。ＰＴＯ軸４０の駆動で、連動軸４１を介して入力軸３９が回転されると、ベベルギヤ５５，５６を介して中央部の正転ブレード軸２が正回転Ａされる。この正転ブレード軸２のプーリ１１によってベルト１３、プーリ１２を介して一側の正転ブレード軸３が同正回転Ａされると共に、カウンタプーリ１４、カウンタ軸１５、及びギヤ１６，１７を介して逆転ブレード軸６が逆転Ｂされる。
【００２２】
このようにして回転される各ブレード３７によって切断される芝草は、横端の正転ブレード軸３のブレード３７で刈取られる芝草は、主に排出ガイド板５８よりもこの正転ブレード軸３側に形成される排出口２９から後方へ排出される。又、中央部の正転ブレード軸２のブレード３７で刈取られる芝草は、排出ガイド板５８よりも逆転ブレード軸６側に形成される排出口２９から後方へ排出される。又、逆転ブレード軸６のブレード３７で切断される芝草は、このブレード３７の回転方向Ｂに回転されて、該中央部の正転ブレード軸２のブレード３７回転Ａによる排出芝草と合流されて同じ側の排出口２９から排出される。
【００２３】
主として図２、図７を参照して、モーアデッキ１の刈取幅を広（図２）、狭（図７）使用に構成する場合に、モーアデッキ１、各ブレード軸２，３，６や、伝動機構等の共用化を図る。モーアデッキ１の左右両側端の円弧状の側部カバー６３を着脱構成として、直板状の側部カバー６４に付替え各ブレード３７の回転径を長短に切替え、ガイド板５９の径をブレード３７の回転径に応じるように設定する。
【００２４】
前記モーアデッキ１の一側部の正転ブレード軸３とこの軸受メタル５は、軸受凹部９の底部に左右方向に長く形成した長穴６１に沿って移動させて、ボルト４４による取付位置を図２から図７のように内側へ移動する。この場合長穴６１の間隔部から芝草の吹出を防止するため、前記メタルボス部５Ａの回りにプレート５Ｂを嵌合させて、この間隔部を閉鎖し、上側の軸受メタル５との間にモーアデッキ１の長穴６１緑を挾持固定する。
【００２５】
又、他側部の逆転ブレード軸６を有したギヤケース７の軸受凹部１０の底部には、左右方向に長い長穴６２が設けられて、この長穴６２に小判状のギヤケース７を左右に振替えて嵌合し、ボルト４４で締付固定する（図７）。この状態ではギヤケース７のカウンタ軸１５が外側に位置し、逆転ブレード軸６が内側に位置される。
【００２６】
主として、図２、図８、図９を参照してモーアデッキ１の形状について説明する。モーアデッキ１の前縁部６５は、下端縁と内側のガイド板５９との間に一定の前後間隔部６６を形成するように、ガイド板５９の三葉形状にほぼ沿うよう構成されて、この前縁部６５で押し倒される芝草が、後側のガイド板５９によって再度押されるときの、芝草傾斜姿勢をほぼ一定に保持して、均一な刈高さを維持する。
【００２７】
又、モーアデッキ１の前縁部６５の各ガイド板５９間に対向する部分を後側に窪ませた凹曲部７０を形成することによって、前車輪１９のキングピン７１回りの操向時の回動接触を防止して、できるだけ、モーアデッキ１を前車輪１９側に接近させることができる。又、前記モーアデッキ１の前縁部６５は緩傾斜面に形成して、下端縁を前車輪１９と地面との間隔部に入り込み易くして、一層モーアデッキ１を接近させることができる。
【００２８】
前記モーアデッキ１の上面に形成される中央部の軸受凹部８と、外側部の軸受凹部９，１０との相互間は、浅い溝条に窪ませる溝部６７，６８，６９で連絡する形態とし、モーアデッキ１を補強する。なお、図８、図９において、モーアデッキ１内の後側にはリヤガイド板７２を設けて、刈取られる芝草は直下の地面へ排出する形態としている。
【図面の簡単な説明】
【図１】 モーアデッキ部の背面図。
【図２】 その平面図。
【図３】 その側面図。
【図４】 その一部の拡大背面図。
【図５】 全体側面図。
【図６】 全体平面図。
【図７】 モーア刈取幅を狭くした場合の平面図。
【図８】 モーアデッキ部の平面図と、背面図。
【図９】 車輪との関係を示す平面図。
【符号の説明】
１ モーアデッキ
２ 正転ブレード軸
３ 正転ブレード軸
４ 軸受メタル
５ 軸受メタル
６ 逆転ブレード軸
７ ギヤケース
８ 軸受凹部
９ 軸受凹部
１０ 軸受凹部
１１ プーリ
１２ プーリ
１３ ベルト
１４ カウンタプーリ
１５ カウンタ軸
１６ ギヤ
１７ ギヤ
４２，４３ ベアリング
４５ 下部ケース
４６ 上部ケース
４７，４８ ベアリング
【図１】
0003829314.tif 000002
【図２】
0003829314.tif 000003
【図３】
0003829314.tif 000004
【図４】
0003829314.tif 000005
【図５】
0003829314.tif 000006
【図６】
0003829314.tif 000007
【図７】
0003829314.tif 000008
【図８】
0003829314.tif 000009
【図９】
0003829314.tif 000010